(57)【要約】【課題】  バックライト装置を薄型にした場合でも、輝度むら、色むらを抑える。【解決手段】  透過型の液晶表示パネル１１０を背面側から照明するバックライト装置１４０において、バックライト装置１４０に設けられた光源の主とする発光方向が、バックライト装置１４０の光の取り出し方向とは反対方向である構成とする。例えばバックライト装置１４０の光源を発光ダイオード２１とし、この発光ダイオード２１は透明支持基板上１２７に設置され、その発光ダイオード２１内の発光ダイオードチップから出力される光の主とする出射方向が液晶表示パネル１１０と反対方向とする。【選択図】        図３
2006284906.tif 000002
【特許請求の範囲】
【請求項１】
透過型の液晶表示パネルを背面側から照明するバックライト装置であって、
バックライト装置に設けられた光源の主とする発光方向が、前記バックライト装置の光の取り出し方向とは反対方向である
ことを特徴するバックライト装置。
【請求項２】
前記バックライト装置の光源は発光ダイオードであり、
前記発光ダイオードは透明支持基板上に設置され、前記発光ダイオード内の発光ダイオードチップから出力される光の主とする出射方向が前記液晶表示パネルと反対方向である
ことを特徴とする請求項１に記載のバックライト装置。
【請求項３】
前記透明基板上の発光ダイオードが透明電極で配線されている
ことを特徴とする請求項１又は２に記載のバックライト装置。
【請求項４】
前記発光ダイオードは、前記発光ダイオードチップの周囲を取り囲むレンズを備え、
前記レンズが前記発光ダイオードチップから放出される光を主として横方向に取り出す形状を有している
ことを特徴とする請求項１又は２に記載のバックライト装置。
【請求項５】
透過型の液晶表示パネルと、上記液晶表示パネルを背面側から照明するバックライト装置とを備えてなる液晶表示装置において、
前記バックライト装置に設けられた光源の主とする発光方向が、前記バックライト装置の光の取り出し方向とは反対方向である
ことを特徴する液晶表示装置。
【発明の詳細な説明】
【技術分野】
【０００１】
本発明は、バックライト装置及び液晶表示装置に関し、特に発光ダイオードを光源とするバックライト装置とこれを用いた液晶表示装置に関する。
【背景技術】
【０００２】
近年、テレビジョン受像機用の表示装置として、ＣＲＴ（Cathode Ray Tube、陰極線管）に代わり、液晶表示装置（ＬＣＤ：Liquid Crystal Display）や、プラズマディスプレイ（ＰＤＰ：Plasma Display Panel）などの非常に薄型化された表示装置が提案され、実用化されている。特に、液晶表示パネルを用いた液晶表示装置は、低消費電力での駆動が可能であることや、大型の液晶表示パネルの低価格化などに伴い普及が進み、技術的な研究開発が進められている。
【０００３】
このような液晶表示装置においては、カラーフィルタを備えた透過型の液晶表示パネルを背面側から面状に照明するバックライト装置により照明することにより、カラー画像を表示させるバックライト方式が主流となっている。
バックライト装置の光源としては、蛍光管を使った白色光を発光する冷陰極蛍光管（ＣＣＦＬ：Cold Cathode Fluorescent Lamp）や、発光ダイオード（ＬＥＤ：Light Emitting Diode）が有望視されている。
特に、青色発光ダイオードの開発により、光の三原色である赤色光、緑色光、青色光をそれぞれ発光する発光ダイオードが揃ったことになり、これらの発光ダイオードから出射される赤色光、緑色光、青色光を混色することで、色純度の高い白色光を得ることができる。したがって、この発光ダイオードをバックライト装置の光源とすることにより、液晶表示パネルを介した色純度が高くなるため、色再現範囲をＣＣＦＬと比較して大幅に広げることができる。更に、高出力の発光ダイオード（ＬＥＤ）チップを使用することによって、バックライト装置の輝度を大幅に向上させることができる。
【０００４】
図８は、バックライト装置の光源としてＬＥＤを用いた従来の液晶表示装置の概略断面構成例を示す図である。図８において、配線基板上に反射シート５２６を挟んでＬＥＤが形成されてなるＬＥＤ５２１からの出射光が、直接あるいは反射板５２６により反射して間接的に拡散板５４１に入射される。そして拡散板５４１及び光学シートを透過して液晶パネルが照明される。
【０００５】
ところで図８に示したようにバックライト装置の光源にＬＥＤを用いる場合、直下型、すなわちＬＥＤを出射面の直下に配置すると、ＬＥＤの光出力の指向性のために、輝度むらや色むら（いわゆるホットスポット）が発生してしまう。
この問題を解決する手法として、全方向に光を放出するＬＥＤチップに対し、その周囲を取り囲むレンズを、真上に放出される光を横方向に反射させる形状として、主として横方向に光を取り出すサイドエミッション型の発光ダイオード、いわゆるＬＥＤモジュールが提案されている（例えば非特許文献１参照。）。
このようなサイドエミッション型の発光ダイオードを用いたバックライト装置はＲＧＢ（赤、緑及び青）の各色光の混色が容易であり、輝度むらや色むらを抑えることができるため有用である。
【０００６】
【非特許文献１】日経エレクトロニクス（日経ＢＰ社）、２００４年１２月２０日号（第８８９号）第１２３〜１３０頁
【発明の開示】
【発明が解決しようとする課題】
【０００７】
ところが、このように主として横方向に光を放射する発光ダイオードを用いても、依然としてＬＥＤの直上方向に出射させる光を完全に消光することはできない。
【０００８】
例えば、非特許文献１に記載のＬＥＤから真上に放出する光は、ＬＥＤからレンズ中心軸に沿って放出される光がレンズ内部で屈折せずに直進してきたものである。これはＬＥＤの発光特性に依存せず、等方性を持つＬＥＤを使用する限りは必ず存在する。
上記非特許文献１においては、発光ダイオードのレンズ直上に反射コーティング面を設けるとか、または発光ダイオードの上部に透明基板を設け、光源の直上部分に光吸収材を印刷等によりパターン形成する方法によってＬＥＤの直上に放出する光の遮光・低減化を図っている。
【０００９】
図９は、従来のサイドエミッション型の発光ダイオードを用いた液晶表示装置の概略断面構成例を示す図である。図９において、バックライト装置底面の拡散板５２６上にＬＥＤが形成されてなるＬＥＤ５２２からの光が、主として横方向へ出射されるとともに、直上方向への光は光反射部材５２８によって反射される。ＬＥＤ５２２から出射された光はバックライト装置の筐体側面や拡散シート５２６により反射するなどして広範囲に均一な輝度分布となって拡散板５４１に入射され、光学シートを透過して液晶パネルに照射される。
【００１０】
しかし液晶表示装置をさらに薄型化しようとした場合、光路長がとれなくなるため、全体に輝度むらが許容値を超えるようになり、さらに上記の光反射部材の影が見えるようになる。すなわち拡散板５４１を透過した光の輝度分布５５１が、ＬＥＤ５２２の直上周辺で落ち込んでしまう（図９参照）。実際のバックパネル装置に置き換えると、例えば赤色発ＬＥＤの直上において、赤色光は低減されるが、周囲からの緑色光、青色光が強くなり、これらの混色のシアン色の発光がみえてしまう場合があるということである。
【００１１】
したがって、上述したようにＬＥＤの上面を遮光する構成としても、表示装置としては十分ではなく、発光ダイオードのほぼ中心位置からの漏れ光による輝点、いわゆるホットスポットを完全になくし、かつ輝度むら、色むらをなくすことは難しい。このような輝度むらや色むらを十分低減するために、光源と表示パネルとの間隔を比較的大とする必要があるが、バックライト装置及び液晶表示装置の薄型化を図り難い。また、反射コートや光拡散材の材料によっては、光の吸収量、無効量が多く、光の取り出し効率、利用効率の低下を招く場合がある。
【００１２】
本発明は斯かる点に鑑みてなされたものであり、バックライト装置を薄型にした場合でも、輝度むら、色むらを抑えることを目的とする。
【課題を解決するための手段】
【００１３】
上記課題を解決するため、本発明は、透過型の液晶表示パネルを背面側から照明するバックライト装置において、バックライト装置に設けられた光源の主とする発光方向が、バックライト装置の光の取り出し方向とは反対方向である構成とする。
好適な実施形態例としては、例えばバックライト装置の光源を発光ダイオードとし、この発光ダイオードは透明支持基板上に設置され、その発光ダイオード内の発光ダイオードチップから出力される光の主とする出射方向が液晶表示パネルと反対方向であるように構成する。
【００１４】
また、本発明による液晶表示装置は、上述の本発明構成のバックライト装置を用いる構成とする。すなわち本発明は、透過型の液晶表示パネルと、上記液晶表示パネルを背面側から照明するバックライト装置とを備えて成る液晶表示装置において、バックライト装置に設けられた光源の主とする発光方向が、バックライト装置の光の取り出し方向とは反対方向である構成とする。
【００１５】
上述の構成によれば、バックライト装置に設けられた光源の主とする発光方向が、バックライト装置の光の取り出し方向とは反対方向であるため、バックライト装置から取りだされるまでの光路長が長くなり、広範囲に均一な輝度分布の光とすることができる。
また、光源として設けられた発光ダイオードから真下に出力されバックライト装置底面で反射された光については、それ自身が光遮蔽部材となり得るので、ホットスポットが改善される。
【発明の効果】
【００１６】
本発明のバックライト装置によれば、バックライト装置を薄型にした場合でも、輝度むら、色むらを抑えることができるという効果がある。
また、上記バックライト装置を用いた本発明の液晶表示装置によれば、輝度むら、色むらを抑えることができるという効果がある。
【発明を実施するための最良の形態】
【００１７】
以下本発明を実施するための最良の形態の例を説明するが、本発明は以下の例に限定されるものではない。
本発明は、例えば図１に示すような構成の透過型のカラー液晶表示装置１００に適用することができる。この透過型カラー液晶表示装置１００は、透過型のカラー液晶表示パネル１１０と、このカラー液晶表示パネル１１０の背面側に設けられたバックライト装置１４０とからなる。また、図示しないが、この透過型カラー液晶表示装置１００は、地上波や衛星波を受信するアナログチューナー、デジタルチューナーといった受信部、この受信部で受信した映像信号、音声信号をそれぞれ処理する映像信号処理部、音声信号処理部、音声信号処理部で処理された音声信号を出力するスピーカといった音声信号出力部などを備えていてもよい。
【００１８】
透過型のカラー液晶表示パネル１１０は、ガラス等で構成された２枚の透明な基板（ＴＦＴ基板１１１、対向電極基板１１２）を互いに対向配列させ、その間隙に、例えば、ツイステッドネマチック（ＴＮ）液晶を封入した液晶層１１３を設けた構成となっている。ＴＦＴ基板１１１には、マトリックス状に配列された信号線１１４と、走査線１１５と、この信号線１１４、走査線１１５の交点に配列されたスイッチング素子としての薄膜トランジスタ１１６と、画素電極１１７とが形成されている。薄膜トランジスタ１１６は、走査線１１５により、順次選択されると共に、信号線１１４から供給される映像信号を、対応する画素電極１１７に書き込む。一方、対向電極基板１１２の内表面には、対向電極１１８及びカラーフィルタ１１９が形成されている。
【００１９】
カラーフィルタ１１９は、各画素に対応した複数のセグメントに分割されている。例えば、図２に示すように、３原色である赤色フィルタＣＦＲ、緑色フィルタＣＦＧ、青色フィルタＣＦＢの３つのセグメントに分割されている。カラーフィルタ１１９の配列パターンは、図２に示すようなストライプ配列の他に、図示しないが、デルタ配列、正方配列などがある。
【００２０】
再び、図１を用いて、透過型カラー液晶表示装置１００の構成について説明をする。透過型カラー液晶表示装置１００は、このような構成の透過型のカラー液晶表示パネル１１０を２枚の偏光板１３１，１３２で挟み、バックライト装置１４０により背面側から白色光を照射した状態で、アクティブマトリックス方式で駆動することによって、所望のフルカラー映像を表示させることができる。
バックライト装置１４０は、上記カラー液晶表示パネル１１０を背面側から照明する。図１に示すように、バックライト装置１４０は、ここでは図示していない光源や、光源から出射された光を白色光へと混色するためにバックライト筐体部１２０内に、拡散板１４１、拡散板１４１上に重ねて配列される拡散シート１４２、プリズムシート１４３、偏光変換シート１４４といった光学機能シート群１４５などを備えた構成となっている。
拡散板１４１は、バックライト筐体部１２０から出射された光を内部拡散させることで、面発光における輝度の均一化を行う。
【００２１】
一般に、光学機能シート群は、例えば、入射光を直交する偏光成分に分解する機能、光波の位相差を補償して広角視野角化や着色防止を図る機能、入射光を拡散させる機能、輝度向上を図る機能などを備えたシートで構成されており、バックライト装置１４０から面発光された光をカラー液晶表示パネル１１０の照明に最適な光学特性を有する照明光に変換するために設けられている。したがって、光学機能シート群１４５の構成は、上述した拡散シート１４２、プリズムシート１４３、偏光変換シート１４４に限定されるものではなく、様々な光学機能シートを用いることができる。
【００２２】
図３に、透過型カラー液晶表示装置１００を組み上げた際に、図１に示す透過型カラー液晶表示装置１００に付したＸＸ線で切断した際の断面図を一部示す。図３に示すように、液晶表示装置１００を構成するカラー液晶表示パネル１１０は、透過型カラー液晶表示装置１００の外部筐体となる外部フレーム１０１と、内部フレーム１０２とによって、スペーサ１０３ａ，１０３ｂを介して挟み込むように保持される。また、外部フレーム１０１と、内部フレーム１０２との間には、ガイド部材１０４が設けられており、外部フレーム１０１と、内部フレーム１０２によって挟まれたカラー液晶表示パネル１１０が長手方向へずれてしまうことを抑制している。
【００２３】
一方、透過型カラー液晶表示装置１００を構成するバックライト装置１４０は、上述したように光学機能シート群１４５が積層された拡散板１４１を備えている。また、拡散板１４１と、バックライト筐体部１２０との間には、光透過性を有する透明樹脂基板１２７が配されている。この透明樹脂基板１２７は、本例でバックライト装置の光源として使用している発光ダイオード（光源）２１を固着・支持する透明支持基板である。この透明樹脂基板１２７上に、発光ダイオード２１をバックライト装置１４０の光取り出し方向とは逆方向に光を出射するように設置する。つまり、その発光ダイオード内の発光ダイオードチップから出力される光の主とする出射方向が液晶表示パネルと反対方向、バックライト筐体部１２０の最下面１２０ａに向かって出射される。透明樹脂基板１２７の両面(光入射面及び光出射面)は、拡散透過面が好ましいが、ハーフミラー面でもよく、また部分的に反射などのコーティングがされていてもよい。
【００２４】
発光ダイオード２１と対向するバックライト筐体部１２０の内壁最下面１２０ａは、拡散面が好ましいが、ミラー面でも構わない。最下面１２０ａは、主に発光ダイオード２１から発光され、その放射角度分布によって下向きに放射された光や、バックライト筐体部１２０の反射加工を施され反射面とされた内壁側面１２０ｂにて反射された光などを拡散又は反射する。例えば一例として特開２００５−４３８３２号公報に記載のような反射手段が挙げられるが、この例に限られない。
拡散板１４１は、バックライト筐体部１２０に設けられたブラケット部材１０８で保持される。
【００２５】
図４に、バックライト筐体部１２０内の概略構成図を示す。この図４に示すように、バックライト筐体部１２０は、赤色光を発光する赤色発光ダイオード２１Ｒ、緑色光を発光する緑色発光ダイオード２１Ｇ、青色光を発光する青色発光ダイオード２１Ｂを光源として用いて、それぞれ後述する本発明構成の発光ダイオードを用いる。例えば、赤色発光ダイオード２１Ｒで発光される赤色光、緑色発光ダイオード２１Ｇで発光される緑色光、青色発光ダイオード２１Ｂで発光される青色光のピーク波長は、それぞれ６４０ｎｍ、５３０ｎｍ、４５０ｎｍ程度とされる。赤色発光ダイオード２１Ｒ、青色発光ダイオード２１Ｂで発光される赤色光、青色光のピーク波長は、それぞれ６４０ｎｍから長波長側へ、４５０ｎｍから短波長側へシフトしてもよい。このようにピーク波長を、長波長側、短波長側へシフトさせると、色域を広げることができるため、カラー液晶表示パネルに表示させる画像の色再現範囲を拡大することができる。
なお、以下の説明において、赤色発光ダイオード２１Ｒ、緑色発光ダイオード２１Ｇ、青色発光ダイオード２１Ｂを総称する場合は、単に発光ダイオード２１と呼ぶ。
【００２６】
発光ダイオード２１は、前述の非特許文献１に記載されているようなレンズ形状のＬＥＤチップなど、主として横方向に光を放射するレンズ機能を有するサイドエミッション型のものがより好適であるが、透明樹脂基板１２７上に本発明の構成を満足するように取り付けられているものであれば、発光ダイオードのレンズはあってもなくてもよく、ＬＥＤチップが透明樹脂基板１２７に直接マウントされていてもよい。発光ダイオードの発光特性は、発光ダイオードアレイの配列と関係があるので、特に限定されない。
【００２７】
この発光ダイオード２１を、図４に示すように、透明樹脂基板１２７上に所望の順番で列状に複数配列させることで、発光ダイオードユニット２１ｎ（ｎは、自然数。）が形成される。
発光ダイオードユニット２１ｎを形成するために、発光ダイオード２１を配列する順番は、図４に示すような、赤色発光ダイオード２１Ｒ、緑色発光ダイオード２１Ｇ、青色発光ダイオード２１Ｂを繰り返し単位とする最も基本的な配列の仕方や、図示しないが、例えば、緑色発光ダイオード２１Ｇを等間隔で配列させ、隣り合う緑色発光ダイオード２１Ｇの間に、赤色発光ダイオード２１Ｒ、青色発光ダイオード２１Ｂを交互に配列させるような順番など様々な配列の仕方がある。
バックライト筐体部１２０内への発光ダイオードユニット２１ｎの配列の仕方は、図４に示すように、発光ダイオードユニット２１ｎの長手方向が、水平方向となるように配列してもよいし、図示しないが、発光ダイオードユニット２１ｎの長手方向が垂直方向となるように配列してもよいし、両者を組み合わせても良い。
【００２８】
なお、発光ダイオードユニット２１ｎの長手方向を、水平方向或いは垂直方向とするように配列する手法は、従来までのバックライト装置の光源として利用していたＣＣＦＬの配列の仕方と同じになるため、蓄積された設計ノウハウを利用することができ、コストの削減や、製造までに要する時間を短縮することができる。
【００２９】
図５に、発光ダイオードの配線について説明するための図である。透明樹脂基板１２７上の各発光ダイオードへの配線はＩＴＯなどの透明電極を用いて行なう。各発光ダイオード２１Ｒ，２１Ｇ，２１Ｂは、それぞれ赤色発光ダイオード配線パターン２２ｒ，緑色発光ダイオード配線パターン２２ｇ，青色発光ダイオード配線パターン２２ｂにより透明樹脂基板１２７上で直列に接続する。また、透明樹脂基板１２７の一端部近傍に、透明電極からなる赤色発光ダイオードｐチャンネル用端子２１Ｒｐ，緑色発光ダイオードｐチャンネル用端子２１Ｇｐ，青色発光ダイオードｐチャンネル用端子２１Ｂｐを形成する。同様に、反対側の端部近傍に赤色発光ダイオードｎチャンネル用端子２１Ｒｎ，緑色発光ダイオードｎチャンネル用端子２１Ｇｎ，青色発光ダイオードｎチャンネル用端子２１Ｂｎを形成する。そして上記各端子に外部から配線する。
【００３０】
このような構成の透過型カラー液晶表示装置１００は、例えば、図６に示すような駆動回路２００により駆動される。駆動回路２００は、カラー液晶表示パネル１１０や、バックライト装置１４０の駆動電源を供給する電源２１０、カラー液晶表示パネル１１０を駆動するＸドライバ回路２２０及びＹドライバ回路２３０、外部から供給される映像信号や、当該透過型カラー液晶表示装置１００が備える図示しない受信部で受信され、映像信号処理部で処理された映像信号が、入力端子２４０を介して供給されるＲＧＢプロセス処理部２５０、このＲＧＢプロセス処理部２５０に接続された画像メモリ２６０及び制御部２７０、バックライト装置１４０を駆動制御するバックライト駆動制御部２８０などを備えている。
【００３１】
この駆動回路２００において、入力端子２４０を介して入力された映像信号は、ＲＧＢプロセス処理部２５０により、クロマ処理などの信号処理がなされ、さらに、コンポジット信号からカラー液晶表示パネル１１０の駆動に適したＲＧＢセパレート信号に変換されて、制御部２７０に供給されるとともに、画像メモリ２６０を介してＸドライバ２２０に供給される。
また、制御部２７０は、上記ＲＧＢセパレート信号に応じた所定のタイミングで、Ｘドライバ回路２２０及びＹドライバ回路２３０を制御して、上記画像メモリ２６０からの映像信号とともにＸドライバ回路２２０に供給されるＲＧＢセパレート信号で、カラー液晶表示パネル１１０を駆動することにより、上記ＲＧＢセパレート信号に応じた映像を表示する。
【００３２】
バックライト駆動制御部２８０は、電源２１０から供給される電圧から、パルス幅変調（ＰＷＭ）信号を生成し、バックライト装置１４０の光源である各発光ダイオード２１を駆動する。一般に発光ダイオードの色温度は、動作電流に依存するという特性がある。したがって、所望の輝度を得ながら、忠実に色再現させる（色温度を一定とする）には、パルス幅変調信号を使って発光ダイオード２１を駆動し、色の変化を抑える必要がある。
ユーザインターフェース３００は、上述した図示しない受信部で受信するチャンネルを選択したり、同じく図示しない音声出力部で出力させる音声出力量を調整したり、カラー液晶表示パネル１１０を照明するバックライト装置１４０からの白色光の輝度調節、ホワイトバランス調節などを実行するためのインターフェースである。
例えば、ユーザインターフェース３００から、ユーザが輝度調節をした場合には、駆動回路２００の制御部２７０を介してバックライト駆動制御部２８０に輝度制御信号が伝わる。バックライト駆動制御部２８０は、この輝度制御信号に応じて、パルス幅変調信号のデューティ比を、赤色発光ダイオード２１Ｒ、緑色発光ダイオード２１Ｇ、青色発光ダイオード２１Ｂ毎に変えて、赤色発光ダイオード２１Ｒ、緑色発光ダイオード２１Ｇ、青色発光ダイオード２１Ｂを駆動制御することになる。
【００３３】
図７は、本発明によるバックライト装置の一実施の形態例に係る輝度分布の説明に供する図である。図７に示すように、発光ダイオード２１の発光方向が照明装置の光の出口とは反対に向いているため、発光ダイオード２１から出力された光１５０は、必ず一旦バックライト筐体部１２０の最下面１２０ａに当たり、拡散もしくは反射されて透明樹脂基板１２７に戻ってくる。したがって、従来底面部に上向き設置された発光ダイオードの場合と比べて、発光ダイオード１２０で発光された光１５０の拡散板１４１までの光路長を長くとることができる。そのため、発光ダイオード２１から出力された光そのものよりもより広範囲に均一な輝度分布となっているので、拡散板１４１を通過した光を取り出したときの輝度むら・色むらを抑えることができる。
また、発光ダイオード２１から真下に出力された光については、それ自身が光吸収部材となり得るので、ホットスポットを改善し、輝度むら・色むらの発生を抑えることができる。
【００３４】
したがって、上述した実施の形態によれば、バックライト装置を薄型にした場合でも、輝度むらを抑えることができる。
また、全方向に光を放出するＬＥＤチップに対し、その周囲を取り囲むレンズを、真上に放出される光を横方向に反射させる形状として、主として横方向に光を取り出すサイドエミッション型の発光ダイオード、いわゆるＬＥＤモジュールを本発明に適用した場合、バックライト装置のさらなる薄型化が可能となる。
【００３５】
なお、本発明は、以上説明した例に限定されるものではなく、発光ダイオードチップの構成、レンズの外側及び内側の形状など、またその他の構成において、本発明の要旨を逸脱しない範囲において、種々の変形、変更が可能であることは言うまでもない。
【図面の簡単な説明】
【００３６】
【図１】本発明を実施するための最良の形態として示す液晶表示装置の一例の概略分解斜視構成図である。
【図２】本発明を実施するための最良の形態として示す液晶表示装置が備える液晶表示パネルのカラーフィルタの一例の概略平面構成図である。
【図３】本発明を実施するための最良の形態として示す液晶表示装置の一例における概略断面構成図である。
【図４】本発明を実施するための最良の形態として示す液晶表示装置が備えるバックライト装置の概略斜視構成図である。
【図５】図４に示すバックライト装置の発光ダイオードの配線を説明するための図である。
【図６】本発明を実施するための最良の形態として示す液晶表示装置を駆動する駆動回路の一例の概略ブロック構成図である。
【図７】本発明によるバックライト装置の一実施形態例に係る輝度分布を示す図である。
【図８】従来の液晶表示装置の概略断面構成の一例を示した図である。
【図９】従来のサイドエミッション型の発光ダイオードを用いた液晶表示装置の概略断面構成の一例を示した図である。
【符号の説明】
【００３７】
２１…発光ダイオード、２１Ｒ…赤色発光ダイオード、２１Ｇ…緑色発光ダイオード、２１Ｂ…青色発光ダイオード、２１Ｒｐ…赤色発光ダイオードｐチャンネル用端子、２１Ｇｐ…緑色発光ダイオードｐチャンネル用端子、２１Ｒｐ…青色発光ダイオードｐチャンネル用端子、２１Ｒｎ…赤色発光ダイオードｎチャンネル用端子、２１Ｇｎ…緑色発光ダイオードｎｐチャンネル用端子、２１Ｒｎ…青色発光ダイオードｎチャンネル用端子、２２ｒ…赤色発光ダイオード配線パターン、２２ｇ…緑色発光ダイオード配線パターン、２２ｂ…青色発光ダイオード配線パターン、１００…カラー液晶表示装置、１１０…カラー液晶表示パネル、１２０…バックライト筐体部、１２０ａ…最下面、１２０ｂ…側面、１２７…透明樹脂基板、１４０…バックライト装置、１４１…拡散板
【図１】
2006284906.tif 000003
【図２】
2006284906.tif 000004
【図３】
2006284906.tif 000005
【図４】
2006284906.tif 000006
【図５】
2006284906.tif 000007
【図６】
2006284906.tif 000008
【図７】
2006284906.tif 000009
【図８】
2006284906.tif 000010
【図９】
2006284906.tif 000011